(57)【要約】【課題】部品点数を増加させることなく、外部への熱の伝達を抑制した発熱体収納ケースを提供する。【解決手段】熱を伝えにくい材料で形成され、内部に発熱体６０を収納する箱形状のケース本体部２００と、ケース本体部２００と一体成形され、ケース本体部２００の外面のうち少なくとも、発熱体６０が当接するケース本体部２００の内面の部分である当接部２１５の裏側の外面２１２から、ケース本体部２００の外側に向かって突出した複数の突起２１４と、を有する。【選択図】図３
2018003924.tif 000002
【特許請求の範囲】
【請求項１】
発熱体を収納する発熱体収納ケースであって、
熱を伝えにくい材料で形成され、内部に前記発熱体を収納する箱形状のケース本体部と、
前記ケース本体部と一体成形され、前記ケース本体部の外面のうち少なくとも、前記発熱体が当接する前記ケース本体部の内面の部分である当接部の裏側の外面から、前記ケース本体部の外側に向かって突出した複数の突起と、を有する、ことを特徴とする発熱体収納ケース。
【請求項２】
前記複数の突起は、前記突起同士の隙間に指が入らない間隔で形成されている、ことを特徴とする請求項１に記載の発熱体収納ケース。
【請求項３】
前記突起は、先端に近づくほど、前記裏側の外面に水平な断面の面積が小さくなる、ことを特徴とする請求項１又は２に記載の発熱体収納ケース。
【請求項４】
前記突起は、先端部分が丸みのある形状に形成されている、ことを特徴とする請求項１〜３のいずれか１項に記載の発熱体収納ケース。
【請求項５】
前記突起は、前記外面と前記先端部分側との間に前記突起を貫通する貫通孔が形成されている、ことを特徴とする請求項１〜４のいずれか１項に記載の発熱体収納ケース。
【請求項６】
前記突起は、前記当接部の裏側の外面に限って形成されており、
前記裏側の外面は、前記裏側の外面の周囲の外面よりも内側に凹んでおり、
前記突起は、前記周囲の外面と前記裏側の外面との差分よりも低い高さに形成されている、ことを特徴とする請求項１〜５のいずれか１項に記載の発熱体収納ケース。
【請求項７】
前記突起はリブである、ことを特徴とする請求項１〜６のいずれか１項に記載の発熱体収納ケース。
【請求項８】
前記熱を伝えにくい材料は、合成樹脂、又はゴム、又は木材である、ことを特徴とする請求項１〜７のいずれか１項に記載の発熱体収納ケース。
【発明の詳細な説明】
【技術分野】
【０００１】
本発明は、発熱体を収納する発熱体収納ケースに関する。
【背景技術】
【０００２】
発熱量の大きな発熱体を含む機器は、手が触れたときにやけどしないように、発熱体の熱を外部に伝えにくい構造にする必要がある。そのため、特許文献１は、発熱量の大きな機器に対して、高熱伝導率を有するグラファイトブロックに、高い断熱性と耐熱性を有する発泡ポリイミドブロックを積層させた断熱ブロックを用いることを提案している。
【先行技術文献】
【特許文献】
【０００３】
【特許文献１】特開２０１４−５５６４６号公報
【発明の概要】
【発明が解決しようとする課題】
【０００４】
上記断熱ブロックを用いる場合、発熱体を収納するケースとは別に断熱ブロックを製造しなければならず、部品点数が増加する。ひいては、製造工程数やコストが増加するという問題がある。
【０００５】
本発明は、上記実情に鑑みてなされたものであり、部品点数を増加させることなく、外部への熱の伝達を抑制した発熱体収納ケースを提供することを主たる目的とする。
【課題を解決するための手段】
【０００６】
請求項１に記載の発明は、発熱体を収納する発熱体収納ケースであって、
熱を伝えにくい材料で形成され、内部に前記発熱体を収納する箱形状のケース本体部と、
前記ケース本体部と一体成形され、前記ケース本体部の外面のうち少なくとも、前記発熱体が当接する前記ケース本体部の内面の部分である当接部の裏側の外面から、前記ケース本体部の外側に向かって突出した複数の突起と、を有する、ことを特徴とする。
【０００７】
請求項２に記載の発明は、請求項１に記載の発熱体収納ケースにおいて、
前記複数の突起は、前記突起同士の隙間に指が入らない間隔で形成されている、ことを特徴とする。
【０００８】
請求項３に記載の発明は、請求項１又は２に記載の発熱体収納ケースにおいて、
前記突起は、先端に近づくほど、前記裏側の外面に水平な断面の面積が小さくなる、ことを特徴とする。
【０００９】
請求項４に記載の発明は、請求項１〜３のいずれか１項に記載の発熱体収納ケースにおいて、
前記突起は、先端部分が丸みのある形状に形成されている、ことを特徴とする。
【００１０】
請求項５に記載の発明は、請求項１〜４のいずれか１項に記載の発熱体収納ケースにおいて、
前記突起は、前記外面と前記先端部分側との間に前記突起を貫通する貫通孔が形成されている、ことを特徴とする。
【００１１】
請求項６に記載の発明は、請求項１〜５のいずれか１項に記載の発熱体収納ケースにおいて、
前記突起は、前記当接部の裏側の外面に限って形成されており、
前記裏側の外面は、前記裏側の外面の周囲の外面よりも内側に凹んでおり、
前記突起は、前記周囲の外面と前記裏側の外面との差分よりも低い高さに形成されている、ことを特徴とする。
【００１２】
請求項７に記載の発明は、請求項１〜６のいずれか１項に記載の発熱体収納ケースにおいて、
前記突起はリブである、ことを特徴とする。
【００１３】
請求項８に記載の発明は、請求項１〜７のいずれか１項に記載の発熱体収納ケースにおいて、
前記熱を伝えにくい材料は、合成樹脂、又はゴム、又は木材である、ことを特徴とする。
【発明の効果】
【００１４】
請求項１に記載の発明によれば、ケース本体部が熱を伝えにくい材料で形成されていても、発熱体が内面に当接することで、発熱体が出す熱がケース本体部に分散され、発熱体が保護される。そして、ケース本体部は、金属等の熱伝導性が高いケースと比べて、発熱体の熱による温度上昇が抑制される。その上、ケース本体部は、発熱体が当接する当接部の裏側の外面、すなわち外面のうちの最も温度の高くなる部分に、複数の突起が形成されている。よって、手が当接部の裏側に触れたとしても、手と当接部の裏側との接触面積が抑制され、手に伝わる熱が抑制される。したがって、部品点数を増加させることなく、外部への熱の伝達を抑制することができる。
【００１５】
請求項２に記載の発明によれば、手が当接部の裏側に触れたとしても、当接部の裏側の外面に触れることはなく、突起の先端部分にしか当たらない。よって、手に伝わる熱を確実に抑制することができる。
【００１６】
請求項３に記載の発明によれば、手と突起との接触面積を小さくできる上、突起を全体的に細くする場合よりも容易に成形することができる。
請求項４に記載の発明によれば、先端部分を丸みのある形状とすることにより、平らな形状とする場合よりも、手と突起との接触面積を小さくすることができる。
【００１７】
請求項５に記載の発明によれば、外面側と先端部分側との間に貫通孔が形成されていることにより、貫通孔がない場合よりも、発熱体の熱が突起の先端部分まで伝わりにくくなり、手が当接部の裏側に触れたとしても、さらに、手への熱の伝達を抑制することができる。
【００１８】
請求項６に記載の発明によれば、突起が、突起の周囲の外面よりも外側に突出していないため、外観を良くすることができる。また、当接部の裏側の外面が、周囲の外面よりも凹んでいるため、面一の場合よりも、発熱体の熱が周囲の外面に伝わりにくく、周囲の外面の温度の上昇を抑制することができる。
【００１９】
請求項７に記載の発明によれば、突起をリブとすることで、容易に突起を成形することができる。
請求項８に記載の発明によれば、金属よりも熱の伝達を抑制できる。
【図面の簡単な説明】
【００２０】
【図１】収納ケースを前側から見た側面図である。
【図２】収納ケースを上側から見た上面図である。
【図３】収納ケースを下側から見た斜視図である。
【図４】収納ケースの蓋を外した状態を示す上面図である。
【図５】図４のＶ−Ｖ線の断面図である。
【図６】先端が丸みのある形状のリブと手との接触面積を示す模式図である。
【図７】先端が平らな形状のリブと手との接触面積を示す模式図である。
【図８】他の実施形態に係るリブの鉛直断面を示す模式図である。
【発明を実施するための形態】
【００２１】
以下、図面を参照しながら、発明を実施するための形態を説明する。
＜全体構成＞
本実施形態において、発熱体収納ケースである収納ケース１００は、光受信機のケースを想定しており、収納する発熱体は、光信号を受信する受信部６０を想定している。
【００２２】
まず、収納ケース１００の全体構成について、図面を参照して説明する。ここでは、収納ケース１００の深さ方向をｘ軸方向、収納ケース１００の長手方向をｙ軸方向、収納ケース１００の短手方向をｚ軸方向とし、ｘ軸方向を収納ケース１００の上下方向、ｙ軸方向を収納ケース１００の前後方向、ｚ軸方向を１００の左右方向とする。
【００２３】
収納ケース１００は、図１に示すように、ケース本体部２００と、接触抑制部２１１と、を備えている。ケース本体部２００は、ケースカバー部１０と、ケース収納部２０とを備えた箱形形状のケースである。ケースカバー部１０、ケース収納部２０及び接触抑制部２１１は、金属よりも熱を伝えにくい合成樹脂、具体的には、熱伝導率１Ｗ／ｍｋ以下の材料により成形されている。
ケースカバー部１０は、図１〜３に示すように、矩形状の上面１１と、上面１１の各縁部から下方に向けて略直立に起立する４枚の側面１２Ａ〜１２Ｄと、を備え、底面が開口した形状に形成されている。側面１２Ａ，１２Ｃは短手方向の側面であり、側面１２Ｂ，１２Ｄは長手方向の側面である。側面１２Ｂ〜１２Ｄは、それぞれ、後述するケース収納部２０の側面２２Ｂ〜２２Ｄの外面を覆うような高い壁に形成されている。側面１２Ａは、ケース収納部２０の側面２２Ａの上側に配置されるような低い壁に形成されている。
【００２４】
側面１２Ａの右端側は、下側に延伸しており、この延伸した部分に上側に凹んだ切欠き部が形成されている。側面１２Ｂ，１２Ｄの後端側には、軸孔１４が形成されている。また、上面１１の前端側から延伸した延伸部には螺子孔１３が形成されている。
【００２５】
ケース収納部２０は、図１、図３及び図４に示すように、矩形状の底面２１と、底面２１の４辺の各縁部から略直立に起立する側面２２Ａ〜２２Ｄと、を備え、上面が開口した箱形形状に形成されている。側面２２Ａ，２２Ｃは短手方向の側面であり、側面２２Ｂ，２２Ｄは長手方向の側面である。以下では、上面１１、底面２１、側面１２Ａ〜１２Ｄ，２２Ａ〜２２Ｄの内側の面を内面、外側の面を外面と称する。
【００２６】
側面２２Ａには、端子口２３、２４が形成されている。端子口２３，２４は、ケース収納部２０に収納される受信部６０の出力用の同軸端子６１と、出力検査用の同軸端子６２を外部へ突出させる孔である。また、側面２２Ａの右端側には、側面１２Ａの凹んだ切欠き部に対応する位置に、下側に凹んだ切欠き部が形成されている。ケースカバー部１０がケース収納部２０に取り付けられると、側面１２Ａの切欠き部と側面２２Ａの切欠き部とが対向して、挿通口２８が形成される。挿通口２８は、ケース収納部２０に収納される電源部７０の電源ケーブル７１を外部へ引き出すための孔である。さらに、側面２２Ａの左端側には、内部に光ケーブルを通すためのケーブル導入口２５が形成されている。また、側面２２Ａの左端側には、入力する光信号及び出力する電気信号の信号レベルの状態を、色で表示する表示灯２６が埋め込まれている。
【００２７】
側面２２Ａの下端には、４つの取付片２７が突出するように形成されている。取付片２７には螺子孔が形成されており、螺子孔において螺子で家屋の壁等に固定される。なお、光受信機を屋外の壁等に設置する場合には、雨滴等の水分の浸入を抑制するために、側面２２Ａを地面に向けて設置することが望ましい。
【００２８】
底面２１には、後述する接触抑制部２１１が形成されている。
側面２２Ｂ，２２Ｄの後端側には、側面１２Ｂ，１２Ｄの軸孔１４と対応する位置に断面円形の突起である枢軸２９が形成されている。軸孔１４に枢軸２９が嵌合することにより、ケースカバー部１０の側面１２Ｂ〜１２Ｄの内側に、ケース収納部２０の側面２２Ｂ〜２２Ｄが入り込み、ケースカバー部１０が、ケース収納部２０に対して開閉自在に取り付けられる。そして、図２に示すように、上面１１の螺子孔１３において螺子止めされて、ケース収納部２０にケースカバー部１０が固着される。
【００２９】
ケース本体部２００の内部には、図４に示すように、受信部６０と、電源部７０と、図示しないファイバートレイが収納される。受信部６０は、ケース本体部２００の前部に、底面２１の内面に当接して収納され、光ケーブルを介して伝送された光信号を電気信号に変換し、電気信号を出力する。電源部７０は、ケース本体部２００の後部に、底面２１の内面に当接して収納され、受信部６０に電源を供給する。図５に示すように、受信部６０の上下方向の厚みは、電源部７０の上下方向の厚みよりも薄くなっている。受信部６０と電源部７０とは、上側の面が略面一となるように収納されており、受信部６０及び電源部７０の上側にファイバートレイが収納される。ファイバートレイは、光ケーブルの余長を収納するトレイである。
【００３０】
受信部６０は、信号変換の動作を行う際に、多量の熱を発生する発熱体である。よって、受信部６０を底面２１の内面に当接させることで、発生した熱をケース収納部２０に分散させ、受信部６０を保護している。以下では、底面２１の内面のうち、受信部６０が当接する部分を当接部２１５とする。
【００３１】
ケース収納部２０は、金属よりも熱を伝えにくい合成樹脂で形成されているため、当接部２１５の裏側の外面２１２は、金属ケースほど高温になることはない。しかしながら、外面２１２は、ケース本体部２００の他の外面よりも温度が高くなり、手が外面２１２に触れると他の外面よりも熱さを感じるので、手が外面２１２に接触しないようにすることが望ましい。そこで、当接部２１５の裏側には、接触抑制部２１１が形成されている。
【００３２】
＜接触抑制部＞
次に、接触抑制部２１１の構成について、図３及び図５を参照して説明する。上述したように、受信部６０の厚みは、電源部７０の厚みよりも薄くなっている。よって、底面２１は、内面が受信部６０と電源部７０に当接するように、受信部６０が内側に凹んだ凹部を有する。接触抑制部２１１は、底面２１の凹部に形成されている。
【００３３】
接触抑制部２１１は、当接部２１５の裏側の外面である外面２１２を上面とし、外面２１２の各縁部から下方に向けて略垂直に立設した内壁面２１３と、外面２１２から外側に向かって突出した複数のリブ２１４と、を備える。内壁面２１３の高さは、受信部６０の厚みと電源部７０の厚みとの差分に応じた高さになっており、内壁面２１３の下端は、底面２１の外面に繋がっている。
【００３４】
リブ２１４は、ｙ軸方向に伸びた突起であり、ｚ軸方向に一定の間隔で複数形成されている。複数のリブ２１４は、リブ２１４同士の隙間に指が入らない間隔で形成されている。指が入らない間隔は、詳しくは、ＪＩＳ  Ｃ  ６９５０のテストフィンガが入らない間隔である。
【００３５】
リブ２１４は、ケース収納部２０と一体成形されており、第１面２１４Ａと第２面２１４Ｂの２つの面を備える。第１面２１４Ａと外面２１２とのなす角、及び第２面２１４Ｂと外面２１２となす角は、いずれも鈍角となっており、第１面２１４Ａと第２面２１４Ｂは、先端に近づくほど、互いに接近している。つまり、リブ２１４は、先端に近づくほど、細く、外面２１２に水平な断面の面積が小さくなっている。
【００３６】
リブ２１４の先端部分は、丸みのある形状に形成されている。図６及び図７に示すように、リブ２１４の先端部分を平らな形状とする場合よりも、リブ２１４の先端部分を丸みのある形状とする方が、先端部分に手が触れたときに接触面積が抑制される。一般に、発熱体に人体が接触した場合、接触面積が小さいほど、人体への熱の伝達が抑制され、やけどしにくい。
【００３７】
また、リブ２１４の高さは、内壁面２１３の高さよりも低い高さに形成されている。すなわち、リブ２１４の高さは、凹部の周囲の底面２１の外面と外面２１２との差分よりも、低い高さに形成されている。そのため、リブ２１４は、底面２１の凹部の内部に収まっており、底面２１の外面よりも外側に突出していない。
【００３８】
＜効果＞
以上詳述した本実施形態によれば、以下の効果が得られる。
（１）受信部６０が当接する当接部２１５の裏側の外面２１２に、複数のリブ２１４が形成されているため、手が当接部２１５の裏側に触れたとしても、手と当接部２１５の裏側との接触面積が抑制され、手への熱の伝達を抑制することができる。
【００３９】
（２）複数のリブ２１４は、リブ２１４同士の隙間に指が入らない間隔で形成されているため、手が当接部２１５の裏側に触れたとしても、当接部２１５の裏側の外面２１２に触れることはなく、リブ２１４の先端部分にしか当たらない。よって、手への熱の伝達を確実に抑制することができる。
【００４０】
（３）リブ２１４が先端に近づくほど細くなっているため、手とリブ２１４との接触面積を小さくすることができる。また、リブ２１４全体を細くする場合よりも成形しやすい。
【００４１】
（４）リブ２１４の先端部分を丸みのある形状とすることにより、平らな形状とする場合よりも、手とリブ２１４の先端部分との接触面積を小さくすることができる。
（５）リブ２１４が、底面２１の外面よりも外側に突出していないため、外観を良くすることができる。また、当接部２１５の裏側の外面２１２が、周囲の外面よりも凹んでいるため、面一の場合よりも、受信部６０の熱が周囲の外面に伝わりにくく、周囲の外面の温度の上昇を抑制することができる。
【００４２】
（他の実施形態）
以上、本発明を実施するための形態について説明したが、本発明は上述の実施形態に限定されることなく、種々変形して実施することができる。
【００４３】
（ａ）上記実施形態では、リブ２１４をｙ軸方向に伸びる形状としたが、リブ２１４は、ｚ軸方向に伸びる形状としてもよいし、ｙ軸に対して斜めの方向に伸びる形状としてもよい。リブ２１４は、どの方向に伸びる形状にしてもよい。また、複数のリブ２１４は、全て同じ方向に伸びていなくてもよく、複数の異なる方向に伸びていてもよい。
【００４４】
（ｂ）上記実施形態では、外面２１２から外側に向かって突出する突起をリブとしているが、リブに限らない。例えば、棒状の突起など、突起であればよい。リブ以外の突起の場合も、複数の突起は、突起同士の隙間に、指が入らない間隔で形成するとよい。
【００４５】
（ｃ）上記実施形態では、リブ２１４は、先端に向かうほど細くなっているが、先端に向かうほど細くなっていなくてもよい。例えば、リブ２１４は、外面２１２に接する根本部分から先端部分まで同じ太さでもよいし、根本部分と先端部分との中間部分が膨らんでいてもよい。また、リブ２１４の先端部分は、丸みのある形状とする方が効果的ではあるが、丸みのない形状でもよい。リブ以外の突起についても同様である。
【００４６】
（ｄ）外面２１２には、図８に示すように、リブ２１４の代わりに、リブ３１４が形成されていてもよい。リブ３１４は、外面２１２側と先端部分側と間を貫く貫通孔３１５が形成されている。貫通孔３１５は、リブ３１４の２つの面の一方から他方までを貫いている。このように、外面２１２側と先端部分側との間に貫通孔が形成されていることにより、貫通孔３１５がない場合よりも、受信部６０の熱がリブ３１４の先端部分まで伝わりにくくなり、手が当接部２１５の裏側に触れたとしても、さらに、手への熱の伝達を抑制することができる。また、このような貫通孔３１５は、突起がリブ以外の形状の場合でも有効である。
【００４７】
（ｅ）上記実施形態では、当接部２１５の裏側の外面２１２に限って、リブ２１４が形成されているが、外面２１２以外のケース本体部２００の外面にも、リブ２１４やその他の突起が形成されていてもよい。
【００４８】
（ｆ）収納ケース１００は、合成樹脂に限らず、熱を伝えにくい材料であるゴムや木材で形成してもよい。
（ｇ）発熱体は光受信機の受信部６０に限らず、熱を発生する機器であれば何でもよく、収納ケース１００は、光受信機のケースに限らず、どのような機器のケースであってもよい。
【００４９】
（ｈ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５０】
（ｉ）上述した発熱体収納ケースの他、当該発熱体収納ケースを構成要素とする機器やシステムなど、種々の形態で本発明を実現することもできる。
【符号の説明】
【００５１】
１０…ケースカバー部、２０…ケース収納部、２１…底面、６０…受信部、１００…収納ケース、２００…ケース本体部、２１１…接触抑制部、２１２…外面、２１３…内壁面、２１４，３１４…リブ、２１５…当接部。
【図１】
2018003924.tif 000003
【図２】
2018003924.tif 000004
【図３】
2018003924.tif 000005
【図４】
2018003924.tif 000006
【図５】
2018003924.tif 000007
【図６】
2018003924.tif 000008
【図７】
2018003924.tif 000009
【図８】
2018003924.tif 000010